(57)【特許請求の範囲】
【請求項１】
内底部に中央固定接点とコモン接点と前記中央固定接点の周縁に配置された複数個の周縁固定接点とを配設したハウジングと、前記中央固定接点、及び前記周縁固定接点にそれぞれ対向して配置された複数個の金属製からなる可動接点ばねとを有し、複数個の前記可動接点ばねは、反転可能な膨出部を有するドーム状から成り、金属製のフープ部材から打ち抜き加工によって連結部を介して互いが独立して反転、及び復帰可能に連結されて一体化され、前記各可動接点ばねが、前記中央固定接点に対向して配置された中央可動接点ばねと、前記周縁固定接点に対向して配置された周縁可動接点ばねとから成り、前記中央可動接点ばねの外周縁部から対向する一対の連結部を延設し、前記一対の連結部からそれぞれ分岐された連結部を更に延設し、前記分岐された連結部の端部に前記周縁可動接点ばねを連結し、前記中央可動接点ばねと前記周縁可動接点ばねとが共通の前記一対の連結部から枝分かれして保持され、前記一対の連結部の端部を前記分岐部分よりも突出させて前記フープ材からの共通の切断部を設け、前記可動接点ばねは前記コモン接点に常時導通し、操作桿の操作により、前記各可動接点ばねの少なくとも一つを対向する前記中央固定接点、又は前記各周縁固定接点に導通させるようにしたことを特徴とする多方向スイッチ。
【請求項２】
複数個の前記周縁固定接点が、略矩形の前記ハウジングの前記内底部の四隅に配設されていることを特徴とする請求項１記載の多方向スイッチ。
【請求項３】
前記操作桿が、中央部にガイド孔を有し、前記ハウジングに対して揺動可能に支承された第１のステムと、前記ガイド孔に摺動可能に嵌合され、前記第１のステムから突出する第２のステムとから形成され、前記第２のステムを介して前記第１のステムを所定方向に傾倒することによって、所望の前記周縁固定接点を前記可動接点ばねと前記連結部とを介して前記コモン接点と導通させ、前記第２のステムを押圧することによって、前記中央固定接点を前記可動接点ばねを介して前記コモン接点と導通させることを特徴とする請求項１記載の多方向スイッチ。
【発明の詳細な説明】
【０００１】
【発明の属する技術分野】
本発明は、ステムの傾倒方向に応じた切り換え信号を出力する多方向スイッチに係わり、特に、ステムのプッシュ操作によっても切り換え信号を出力する多方向スイッチに関する。
【０００２】
【従来の技術】
従来の多方向スイッチについて図面を参照して説明する。
図８は、従来の多方向スイッチを示す断面図、図９は、従来の多方向スイッチのハウジングを示す平面図、図１０は、従来の多方向スイッチのハウジングと可動接点ばねとを示す分解斜視図、図１１は、従来の多方向スイッチの動作を説明する説明図である。
【０００３】
図８〜図１０に示すようにハウジング２０は、合成樹脂材料からなり、成形加工によって形成され、四方を囲む側壁２０ａと、側壁２０ａに囲まれた内底部２０ｂと、側壁２０ａの開放端側の四角から外方に立設された４本のボス部２０ｃと、ボス部２０ｃの近傍に設けられた４個の位置決め部２０ｄと、内底部２０ｂから内底部２０ｂの内方に突出された４個の突起２０ｅとを有している。
【０００４】
また、ハウジング２０の内底部２０ｂには、円形の中央固定接点２と、中央固定接点２の周囲を囲むコモン接点３、およびコモン接点３の周囲の前後左右４個所に配設された周縁固定接点４とが露出されており、これら中央固定接点２とコモン接点３、および周縁固定接点４は、端子５としてハウジング２０の対向する側壁２０ａから外方に突出している。このとき、内底部２０ｂの４個の突起２０ｅは、円形の中央固定接点２を囲むように立設されている。
【０００５】
中央可動接点ばねとしての中央タクトばね６０は、母材にリン青銅やＳＵＳ等の弾性に富む材料を使用し、その表面に銀（Ａｇ）処理が施されている。また、この中央タクトばね６０は、全体的に円椀（ドーム）状にフォーミングされており、この中央タクトばね６０は、中央固定接点２の周囲のコモン接点３上に載置され、各突起２０ｅの内側によって位置決めされている。
【０００６】
周縁可動接点ばねとしての周縁タクトばね７０は、母材にリン青銅やＳＵＳ等の弾性に富む材料を使用し、その表面に銀（Ａｇ）処理が施されている。また、この周縁タクトばね７０は、全体的に矩形状にフォーミングされており、その中央部に両持ち状の膨出部７０ａが一体に形成されている。この周縁タクトばね７０は、各周縁固定接点４の内方のコモン接点３上に載置され、ハウジング２０の内壁と各突起２０ｅの外側によって位置決めされている。
【０００７】
換言すれば、中央可動接点ばねとしての中央タクトばね６０と周縁可動接点ばねとしての各周縁タクトばね７０とは、別個の形状に形成されていると共に、ハウジング２０内に個別に配設されている。
【０００８】
第１のステム８は、合成樹脂材料から成り、成形加工によって形成され、円柱部８ａと、円柱部８ａの一方の端部から斜め下方に拡がるスカート部８ｂと、スカート部８ｂの下面には、４個の半球状の突起８ｃが約９０度の等間隔を保って一体に形成されている。そして、これらの突起８ｃは、各周縁タクトばね７０の膨出部７０ａに対向している。
【０００９】
また、円柱部８ａの中央部には、上下方向に貫通するガイド孔９が設けられ、スカート部８ｂの下部周縁には、４個の突片８ｄが一体に形成されており、これら突片８ｄは、隣接する２個の突起２０ｅの中間から外方に延び、ハウジング２０の前述した位置決め部２０ｄと係合している。
この第１のステム８は、各突起２０ｅを対応する各周縁タクトばね７上に載置することによって、ハウジング２０に対して揺動可能に支承される。
【００１０】
第２のステム１０は、合成樹脂材料から成り、成形加工によって形成され、第２のステム１０の下端に鍔部１０ａが一体に形成されており、該鍔部１０ａの下面は、ハウジング２０の各突起２０ｅの上面と所定間隔を保って対向している。この第２のステム１０は、ガイド孔９内の下方から挿入されて第１のステム８の上方に突出しており、鍔部１０ａによって抜け止めがなされている。また、第２のステム１０の下面中央には、押圧突起１０ｂが一体に形成されており、この押圧突起１０ｂの下端（先端）は、中央タクトばね６０に接している。
【００１１】
蓋体１１は、金属板から成り、プレス加工によって形成され、その中央に円形の中央孔１１ａが、四隅に取付孔（図示せず）がそれぞれ穿設されており、中央孔１１ａの周縁には下方に向かって拡がるテーパが形成されている。この蓋体１１は、中央孔１１ａに第１のステム８のスカート部８ｂを貫通させた状態で、各取付孔（図示せず）に貫通したボス部２０ｃをカシメつけることによって、ハウジング２０の上部開口端に被着されている。
【００１２】
【発明が解決しようとする課題】
上述の如き構成の多方向スイッチは、中央タクトばね６０と各周縁タクトばね７０とが個別にハウジング２０内にそれぞれ配設されているが、周縁タクトばね７０と突起８ｃとは、遊びを設けるために、所定の間隔を開けて対向させている。そのため、スイッチの使用状態によっては、図１１に示すように第２のステム１０と第１のステム８とをハウジング２０に対して揺動させ、例えば、ひとつの周縁タクトばね７０を反転させ、スイッチングした状態で、多方向スイッチ全体が傾倒すると、第１のステム８の操作方向とは反対側に配置された周縁タクトばね７０の前述の突起８ｃとの間隔が大きくなり、ハウジング２０の内底部２０ｂからズレて、周縁タクトばね７０の一方の端部がハウジング２０の側壁２０ａに乗り上げてしまい、この周縁タクトばね７０が側壁２０ａに乗り上げた状態が維持されると、多方向スイッチの傾倒を元に戻したときに周縁タクトばね７０のスイッチングに支障が生じる可能性があった。
【００１３】
また、上述の多方向スイッチは、個々の周縁タクトばねと、中央タクトばねのそれぞれをコモン接点に常時導通させるためにコモン接点を中央タクトばねを取り囲むように配線しなければならず、多方向スイッチの幅方向の小型化を阻害していた。
また、タクトばねの部品点数が多く、組立も煩雑に成ることから安価に供給することが出来なかった。
【００１４】
本発明の多方向スイッチは、上述の問題点を解決するもので、その目的は、多方向スイッチを傾けて使用しても、確実にスイッチングが行える信頼性の高い多方向スイッチを提供する。
また、装置の小型化が可能な多方向スイッチを提供することにある。
また、部品点数の削減が出来る多方向スイッチを提供することにある。
【００１５】
【課題を解決するための手段】
本発明の多方向スイッチは、内底部に中央固定接点とコモン接点と前記中央固定接点の周縁に配置された複数個の周縁固定接点とを配設したハウジングと、中央固定接点、及び周縁固定接点にそれぞれ対向して配置された複数個の金属製からなる可動接点ばねとを有し、複数個の可動接点ばねは、反転可能な膨出部を有するドーム状から成り、金属製のフープ部材から打ち抜き加工によって連結部を介して互いが独立して反転、及び復帰可能に連結されて一体化され、各可動接点ばねが、中央固定接点に対向して配置された中央可動接点ばねと、周縁固定接点に対向して配置された周縁可動接点ばねとから成り、中央可動接点ばねの外周縁部から対向する一対の連結部を延設し、一対の連結部からそれぞれ分岐された連結部を更に延設し、分岐された連結部の端部に周縁可動接点ばねを連結し、中央可動接点ばねと周縁可動接点ばねとが共通の前記一対の連結部から枝分かれして保持され、一対の連結部の端部を分岐部分よりも突出させてフープ材からの共通の切断部を設け、可動接点ばねはコモン接点に常時導通し、操作桿の操作により、各可動接点ばねの少なくとも一つを対向する中央固定接点、又は各周縁固定接点に導通させるようにしたことである。
【００１７】
また、本発明の多方向スイッチは、複数個の周縁固定接点が、略矩形のハウジングの内底部の四隅に配設されていることである。
【００２０】
また、本発明の多方向スイッチは、操作桿が、中央部にガイド孔を有し、ハウジングに対して揺動可能に支承された第１のステムと、ガイド孔に摺動可能に嵌合され、第１のステムから突出する第２のステムとから形成され、第２のステムを介して第１のステムを所定方向に傾倒することによって、所望の周縁固定接点を可動接点ばねと連結部とを介してコモン接点と導通させ、第２のステムを押圧することによって、中央固定接点を可動接点ばねを介してコモン接点と導通させることである。
【００２１】
【発明の実施の形態】
以下、本発明の多方向スイッチの実施の形態について図面を用いて説明する。
図１は、本発明の多方向スイッチの実施の形態を示す断面図、図２は、本発明の多方向スイッチのハウジングの実施の形態を示す平面図である。
【００２２】
図１、図２に示すようにハウジング１は、合成樹脂材料からなり、成形加工によって略矩形に形成され、四方を囲む側壁１ａと、側壁１ａに囲まれた内底部１ｂと、内底部１ｂから内底部１ｂの内方に突出され、対向して配設された２個の突起１ｃと、対向する一対の側壁１ａからそれぞれ外方に突出された凸部１ｄとを有している。また、側壁１ａの四隅には、いわゆる面取り加工によって平面壁１ｅが形成されている。
【００２３】
また、ハウジング１の内底部１ｂには、円形の中央固定接点２と、中央固定接点２の周囲の対向する位置に配設されたコモン接点３、および中央固定接点２の周囲の前後左右４個所に配設された円形の周縁固定接点４とが露出されており、これら中央固定接点２とコモン接点３、および周縁固定接点４は、端子５としてハウジング１の対向する側壁１ａから外方に突出している。このとき、内底部１ｂの２個の突起１ｃは、円形の中央固定接点２を囲むように立設されている。
また、中央固定接点２は、内底部１ｂの中央部に配設され、中央固定接点２の周囲の前後左右４個所に配設された周縁固定接点４は、ハウジング１の平面壁１ｅに対向する位置、すなわちハウジング１の四隅に配設されている。
【００２４】
中央可動接点ばねとしての中央タクトばね６は、母材にリン青銅やＳＵＳ等の弾性に富む金属製の材料を使用し、その表面に銀（Ａｇ）処理が施されている。また、この中央タクトばね６は、周縁部から頂部に向けて所定の角度で立ち上がるスカート部と、このスカート部に連続して頂部が円椀（ドーム）状にフォーミングされて反転可能な膨出部が形成されており、この中央タクトばね６は、中央固定接点２の周囲のコモン接点３上に載置され、コモン接点３と電気的に導通され、また、各突起１ｃの内側によって位置決めされている。また、この状態のとき、中央タクトばね６は、中央固定接点２と対向するように配設されている。
【００２５】
周縁可動接点ばねとしての周縁タクトばね７は、母材にリン青銅やＳＵＳ等の弾性に富む金属製の材料を使用し、その表面に銀（Ａｇ）処理が施されている。また、この周縁タクトばね７は、周縁部から頂部に向けて所定の角度で立ち上がるスカート部と、このスカート部に連続して頂部が円椀（ドーム）状にフォーミングされて反転可能な膨出部が形成されており、この各周縁タクトばね７は、ハウジング１の四隅にそれぞれ配設されている。この状態のとき、各周縁タクトばね７は、各周縁固定接点４と対向するように配設されている。
【００２６】
また、中央タクトばね６と各周縁タクトばね７とは、金属製の連結部６ａ、７ａによって連結されている。この連結部６ａ、７ａは、中央タクトばね６と各周縁タクトばね７と同一のフープ材を打ち抜き加工することによって、タクトばねの反転操作フィーリングを劣化させないために、中央タクトばね６のスカート部と各周縁タクトばね７のスカート部とで連結するよう一体に形成されている。また、連結部６ａは、中央タクトばね６の外周縁部の対向する位置（１８０度離間する位置）から外方に延設され、連結部７ａは、前述の延設された連結部６ａの先端部側から連結部６ａに直交する方向に延設されて、その端部に周縁タクトばね７が連結されている。
【００２７】
換言すれば、連結部６ａ、７ａによって、中央タクトばね６と各周縁タクトばね７とが一体化されている。
なお、中央タクトばねと周縁タクトばねの形状は、上記に限らず、例えば矩形状としても良いが、反転可能な膨出部の絞り加工と、連結部の形成とを板状材からプレス加工する場合、中央タクトばね６と各周縁タクトばね７とは、円錐ドーム状に形成する方が、安定した加工が行え、好適である。
【００２８】
操作桿のひとつを構成する第１のステム８は、合成樹脂材料から成り、成形加工によって形成され、円柱部８ａと、円柱部８ａの一方の端部から斜め下方に拡がるスカート部８ｂと、スカート部８ｂの下面には、４個の半球状の突起８ｃが約９０度の等間隔を保って一体に形成されている。そして、これらの突起８ｃは、各周縁タクトばね７のドーム状のほぼ頂部に対向している。
【００２９】
また、円柱部８ａの中央部には、上下方向に貫通するガイド孔９が設けられている。そして、この第１のステム８は、ハウジング１に対して揺動可能に支承される。
【００３０】
操作桿のひとつを構成する第２のステム１０は、合成樹脂材料から成り、成形加工によって形成され、第２のステム１０の下端に鍔部１０ａが一体に形成されており、また、この第２のステム１０は、ガイド孔９内の下方から挿入されて第１のステム８の上方に突出しており、鍔部１０ａによって抜け止めがなされている。また、第２のステム１０の下面中央には、押圧突起１０ｂが一体に形成されており、この押圧突起１０ｂの下端（先端）は、中央タクトばね６の略頂部に接している。
【００３１】
蓋体１１は、金属板から成り、プレス加工によって形成され、その中央に円形の中央孔１１ａが穿設されており、中央孔１１ａの周縁には下方に向かって拡がるテーパが形成されている。この蓋体１１は、中央孔１１ａに第１のステム８のスカート部８ｂを貫通させた状態で、ハウジング１の上部開口端にスナップインなどの適宜手段にて被着されている。
【００３２】
次に、この本発明の多方向スイッチの動作について図面を参照して説明する。
図３は、本発明の多方向スイッチの傾倒操作（動作）を示す断面図、図４は、本発明の多方向スイッチのプッシュ操作（動作）を示す断面図である。
【００３３】
先ず、図３に示すように第２のステム１０を各周縁固定接点４が配置された前後左右の４方向のいずれか１方向に向けて傾倒させる。例えば、第２のステム１０を図３の左側に位置する周縁固定接点４に向けて矢印方向に傾倒させると、第２のステム１０と共に第１のステム８も同方向に傾倒するため、傾倒方向に位置する突部８ｃがその下方に位置する周縁タクトばね７（周縁可動接点ばね）を押圧する。そして、周縁タクトばね７が反転してクリック感が生起された時点で、該周縁タクトばね７と連結部６ａ、７ａを介してその下方に位置する周縁固定接点４とコモン接点３とが導通するため、スイッチオン状態が得られる。
【００３４】
このときの傾倒角度は第２のステム１０の鍔部１０ａが、ハウジング１の突起１ａに当接することによって規制され、鍔部１０ａの下面が突起１ａに当接した時点で第２のステム１０がそれ以上傾倒しないため、中央タクトばね６が誤って反転動作して中央固定接点２に接触することを確実に防止できる。
【００３５】
また、第２のステム１０を隣り合うふたつの周縁固定接点４の中間に向けて傾倒させると、傾倒方向に位置するふたつの突部８ｃがその下方に位置する周縁タクトばね７をそれぞれ押圧するため、これら周縁タクトばね７を介してその下方に位置する周縁固定接点４とコモン接点３とがそれぞれ導通し、スイッチオン状態が得られる。
【００３６】
なお、第２のステム１０に対する傾倒方向への押圧力を解除すると、反転した周縁タクトばね７の自己復帰力によって第１のステム８が元の位置に戻り、該第１のステム８と共に第２のステム１０が元の位置に戻るため図１に示すスイッチオフ状態に復帰する。その際、蓋体１１の中央孔１１ａの周縁にテーパが形成されているため、第１のステム８は、滑らかに復帰することができる。
【００３７】
次に、図４に示すように第２のステム１０を矢印方向に押し込むと、第２のステム１０は、第１のステム８のガイド孔９に沿って下降し、押圧突起１０ｂがその下方に位置する中央タクトばね６（中央可動接点ばね）を押圧する。そして、中央タクトばね６が反転してクリック感が生起された時点で、該中央タクトばね６と連結部６ａ、７ａを介してその下方に位置する中央固定接点とコモン接点３とが導通するため、スイッチオン状態が得られる。
【００３８】
このとき、第１のステム８は、第２のステム１０の押圧（プッシュ）操作を案内するガイド部材として機能する。なお、第２のステム１０に対する真下への押圧力を解除すると、反転した中央タクトばね６の自己復帰力によって、第２のステム１０は元の位置に戻り、図１に示すスイッチオフ状態に復帰する。
【００３９】
このように、本実施例に係る多方向スイッチは、第２のステム１０の傾倒方向を変えることによって、所望の１つの周縁タクトばね７を周縁固定接点４に導通させる４種類のスイッチングと、所望の２つの隣り合う周縁タクトばね７を周縁固定接点４に導通させる４種類のスイッチングの計８種類のスイッチングに加えて、第２のステム１０の押圧（プッシュ）操作によって、中央タクトばね６を中央固定接点２に導通させるスイッチングをも行うことができ、しかも、これら全てのスイッチング時にクリック感を生起させることができる。
【００４０】
そして、このような本発明の実施例に係わる多方向スイッチを傾けた状態で、第２のステム１０を傾倒操作した場合であっても、第２のステム１０の傾倒方向とは反対側の周縁タクトばね７は、他の周縁タクトばね７と連結部で一体化しているので、第２のステム１０の遊び分移動することがあっても、脱落してハウジングの側壁に乗り上げることはなく、確実なスイッチング操作を行える。
【００４１】
また、周縁タクトばねと中央タクトばねとを連結部によって電気的に導通可能に一体化したので、コモン接点との導通個所をタクトばねの数だけ設ける必要がなく、減らすことが出来、また、中央タクトばねを取り囲むように設けなくとも良くなるので、コモン接点の配線レイアウトの自由度が向上し、多方向スイッチの幅方向の小型化が可能となる。
【００４２】
なお、上述の実施例においては、コモン接点との導通個所を中央タクトばねのスカート部の端部に２個所設けたが、これに限らず、連結部に導通個所を設けたり、或いは、周縁タクトばねと導通させるようにしても良い。好ましくは、本実施例のように、中央タクトばねに導通個所を設け、第２のステム１０と中央タクトばねとを常時当接させた構成とすることにより、より安定した接触を得ることができる。
【００４３】
また、複数のタクトばねを連結部によって一体化しているので、部品点数が減り、自動組立機での組立に際し、タクトばねを自動組立機の吸引ノズルにて吸引するときの吸引回数が減り、よって組立工数を削減することが可能となる。
【００４４】
次に、本発明の多方向スイッチの可動接点ばねについて説明する。
図５は、本発明の多方向スイッチの可動接点ばねの第１の実施例を説明するための説明図である。
図５に示すように、リン青銅やＳＵＳ等の弾性に富む金属製のフープ部材３０をプレス加工して、中央可動接点ばねとしての中央タクトばね６と、周縁可動接点ばねとしての複数個（４個）の周縁タクトばね７と、中央タクトばね６、及び各周縁タクトばね７を連結する連結部６ａ、７ａとを一体的に形成する。このとき、中央タクトばね６と周縁タクトばね７とは同一形状のドーム状に形成する。
【００４５】
このとき、連結部６ａは、中央タクトばね６の外周縁部の対向する位置（１８０度離間する位置）から外方に延設され、連結部７ａは、前述の延設された連結部６ａの先端部側から連結部６ａを横切る方向にそれぞれ枝分かれするように延設されて、その端部に周縁タクトばね７が連結されている。また、連結部６ａの中央タクトばね６から離間する一方の端部は、フープ部材３０の接続部３０ａに一体的に連結されている。
【００４６】
この状態にて、切断部Ａにて、フープ部材３０と、中央タクトばね６、及び各周縁タクトばね７とを切断・分断して一体化された中央タクトばね６、及び各周縁タクトばね７を得るように構成されている。
【００４７】
次に、図６は、本発明の多方向スイッチの可動接点ばねの第２の実施例を説明するための第２の説明図である。前述の説明図と同一構成には同符号を付与し、説明は省略する。
その構成上の差異は、中央タクトばね６と各周縁タクトばね７とを連結する連結部６ａ、７ａに加えて、少なくとも隣り合う周縁タクトばね７と周縁タクトばね７とを連結する連結部７ｂを配設したことである。
【００４８】
この連結部７ｂを配設したことによって、隣り合う周縁タクトばね７の配設がふたつの連結部７ａ、７ｂにて成されているので安定した配設ができる。
【００４９】
次に、図７は、本発明の多方向スイッチの可動接点ばねの第３の実施例を説明するための第３の説明図である。前述の説明図と同一構成には同符号を付与し、説明は省略する。
その構成上の差異は、中央タクトばね６とフープ部材３０の接続部３０ａとを連結する連結部６ａに加えて、中央タクトばね６と周縁タクトばね７とを直接連結する連結部６ｂを配設したことである。これによって、中央タクトばね６からは、６本の連結部６ａ、６ｂが延設されている。
【００５０】
なお、上述の多方向スイッチでは、可動接点ばねとしての中央可動接点ばねを囲む四つの周縁可動接点ばねについて説明したが、これに限定されず、周縁可動接点ばねは、ひとつ、又はふたつ以上の複数個であればよいことは勿論である。
【００５１】
【発明の効果】
以上のように、本発明の多方向スイッチは、複数の可動接点ばねが金属製の連結部によって、連結されて一体化され、コモン接点に常時導通し、操作桿の操作により、各可動接点ばねの少なくとも一つを対向する中央固定接点、又は各周縁固定接点に導通されるようにしたことによって、この多方向スイッチが傾倒させて使用しても、一体化された各可動接点ばねが配設されているので、ひとつの可動接点ばねが所定の配置からズレることがないので、安定した動作の多方向スイッチを得ることができる。
また、部品点数が削減された安価な多方向スイッチを得ることができる。
また、複数の可動接点ばねが電気的に導通可能に一体化されているのでコモン接点との導通個所のレイアウト自由度が向上する。
また、導通個所を減らせるので小型化が可能な多方向スイッチを得ることができる。
【００５２】
また、本発明の多方向スイッチは、複数個の可動接点ばねは、反転可能な膨出部を有するドーム状から成り、連動部を介して、互いが独立して反転、及び復帰可能に一体化されていることによって、所望の操作方向に対応したスイッチング時に、良好なクリック感を得ることが出来、可動接点ばねの形成が容易に出来、安価な多方向スイッチを得ることができる。
【００５３】
また、本発明の多方向スイッチは、複数個の周縁固定接点が、略矩形のハウジングの内底部の四隅に配設されていることによって、従来に比較して、周縁固定接点の配設密度が高くなることから、小型化された多方向スイッチを得ることができる。
【００５４】
また、本発明の多方向スイッチは、複数個の可動接点ばねは、金属製のフープ部材から打ち抜き加工によって一体に形成されたことによって、可動接点ばねの形成が容易に出来、安価な多方向スイッチを得ることができる。
【００５５】
また、本発明の多方向スイッチは、各可動接点ばねが、中央固定接点に対向して配置された中央可動接点ばねと、周縁固定接点に対向して配置された周縁可動接点ばねとから成り、中央可動接点ばねの外周縁部から対向する一対の連結部を延設し、この一対の連結部からそれぞれ分岐された連結部を更に延設し、分岐された連結部の端部に周縁可動接点ばねを連結したことによって、周縁可動接点ばねがひとつの連結部によって連結されるので周縁可動接点ばねの反転・復帰動作に対する制約が少ないので周縁可動接点ばねが安定した反転・復帰動作を成し、このことから安定動作の多方向スイッチを提供できる。
【００５６】
また、本発明の多方向スイッチは、操作桿が、中央部にガイド孔を有し、ハウジングに対して揺動可能に支承された第１のステムと、ガイド孔に摺動可能に嵌合され、第１のステムから突出する第２のステムとから形成され、第２のステムを介して第１のステムを所定方向に傾倒することによって、所望の周縁固定接点を可動接点ばねと連結部を介してコモン接点と導通させ、第２のステムを押圧することによって、中央固定接点を可動接点ばねを介してコモン接点と導通させることによって、操作桿の傾倒動作と押圧動作とで各接点が導通され、多方向で確実なスイッチング動作をする多方向スイッチを提供することが出来る。
【図面の簡単な説明】
【図１】本発明の多方向スイッチの実施の形態を示す断面図である。
【図２】本発明の多方向スイッチのハウジングの実施の形態を示す平面図である。
【図３】本発明の多方向スイッチの傾倒操作（動作）を示す断面図である。
【図４】本発明の多方向スイッチのプッシュ操作（動作）を示す断面図である。
【図５】本発明の多方向スイッチの可動接点ばねの第１の実施例を説明するための第１の説明図である。
【図６】本発明の多方向スイッチの可動接点ばねの第２の実施例を説明するための第２の説明図である。
【図７】本発明の多方向スイッチの可動接点ばねの第３の実施例を説明するための第３の説明図である。
【図８】従来の多方向スイッチを示す断面図である。
【図９】従来の多方向スイッチのハウジングを示す平面図である。
【図１０】従来の多方向スイッチのハウジングと可動接点ばねとを示す分解斜視図である。
【図１１】従来の多方向スイッチの動作を説明する説明図である。
【符号の説明】
１    ハウジング
１ａ  側壁
１ｂ  内底部
１ｅ  平面壁
２    中央固定接点
３    コモン接点
４    周縁固定接点
５    端子
６    中央タクトばね（中央可動接点ばね）
６ａ  連結部
７    周縁タクトばね（周縁可動接点ばね）
７ａ  連結部
８    第１のステム（操作桿）
８ｃ  突起
１０    第２のステム（操作桿）
１０ａ  鍔部
１０ｂ  押圧突起
１１    蓋体
１１ａ  中央孔
３０    フープ部材
【図１】
0003819676.tif 000002
【図２】
0003819676.tif 000003
【図３】
0003819676.tif 000004
【図４】
0003819676.tif 000005
【図５】
0003819676.tif 000006
【図６】
0003819676.tif 000007
【図７】
0003819676.tif 000008
【図８】
0003819676.tif 000009
【図９】
0003819676.tif 000010
【図１０】
0003819676.tif 000011
【図１１】
0003819676.tif 000012